(57)【要約】【課題】  導電性付着物による誤作動を有効に防止した水中ポンプを提供する。【解決手段】  水中ポンプ１のポンプ本体１ａに支持された上下方向に延びる取付けロッド９の上部に、起動水位検出電極１１およびガード電極２１が装着され、取付けロッド９の下部に、停止水位検出電極１２およびガード電極２２が装着されている。モータケーシング部２が水中電極とされている。ガード電極２１，２２は駆動制御装置２５の検出回路における基準電位に接続され、起動水位検出電極１１や停止水位検出電極１２とモータケーシング部２との相互間の導通状態を検出回路により検出することによって水中ポンプ１が駆動制御される。【選択図】    図１
2007071042.tif 000002
【特許請求の範囲】
【請求項１】
水中に位置して配置される水中電極と、所望の高さ位置に配置される水位検出電極とを備え、水中電極と水位検出電極との相互間の導通状態を検出回路により検出することによって駆動制御される水中ポンプにおいて、
前記検出回路における所定の電位に接続されたガード電極が、前記水位検出電極の近傍に備えられていることを特徴とする水中ポンプ。
【請求項２】
請求項１に記載の水中ポンプにおいて、
水中ポンプのポンプ本体に支持された上下方向に延びる取付けロッドに、前記水位検出電極および前記ガード電極が装着されていることを特徴とする水中ポンプ。
【請求項３】
請求項２に記載の水中ポンプにおいて、
前記取付けロッドに絶縁性のクランプ体が装着され、該クランプ体における下面内方側に前記水位検出電極が備えられ、前記ガード電極がこの水位検出電極の外方側を離隔して覆うようにクランプ体の下面外周側に備えられていることを特徴とする水中ポンプ。
【請求項４】
請求項２に記載の水中ポンプにおいて、
前記取付けロッドに、前記ガード電極としての高抵抗導電性樹脂からなるクランプ体が装着されると共に、該クランプ体の下面に、低抵抗導電性樹脂からなる前記水位検出電極が埋設状態で配置されていることを特徴とする水中ポンプ。
【請求項５】
請求項１または請求項２に記載の水中ポンプにおいて、
前記水位検出電極の上面側を覆って絶縁性のキャップ体が装着されていることを特徴とする水中ポンプ。
【発明の詳細な説明】
【技術分野】
【０００１】
本発明は、排水処理槽等の貯留槽内に設置され、槽内の水を排水するための水中ポンプに関するものである。
【背景技術】
【０００２】
従来、この種の水中ポンプとして、ポンプ本体の外側下部に停止水位を検出するための下部フロートスイッチを装着すると共に、ポンプ本体の外側上部に取付けロッドを介して起動水位を検出するための上部フロートスイッチを装着し、水位の上昇により上部フロートスイッチが作動して起動水位を検出すれば、水中ポンプが起動されて排水を行い、その後、排水に伴う水位の低下により、下部フロートスイッチが復帰されて停止水位を検出すれば、水中ポンプが停止されるように制御される構造のものがある。
【０００３】
また、ポンプ本体に支持された取付けロッドに、下部フロートスイッチや上部フロートスイッチ等の複数のフロートスイッチを取り付けて、駆動制御を行う水中ポンプもある（例えば、特許文献１および特許文献２参照。）。
【０００４】
しかしながら、このようなフロートスイッチを使用したタイプの水中ポンプにおいては、フロートスイッチの浮き沈み揺動によってスイッチ部が作動する方式であるため、水位検出部品の大型化を招くという問題があった。
【０００５】
これに対し、停止水位検出用の下部電極と起動水位検出用の上部電極を備え、水位の変動による上部電極や下部電極の導通状態の検出により水中ポンプを駆動制御する電極方式のものもある。（例えば、特許文献３参照。）。
【０００６】
【特許文献１】特開２００３−２８６９８８号公報
【特許文献２】特開平６−２４１１９１号公報
【特許文献３】実開昭４８−９０４号公報
【発明の開示】
【発明が解決しようとする課題】
【０００７】
しかしながら、上記のような従来方式の上部電極や下部電極の導通状態の検出により駆動制御する電極方式の水中ポンプによれば、フロートスイッチのような浮き沈み揺動が不要でコンパクトに構成できる利点を有するが、貯留水中の夾雑物としての濡れた布切れ等のような導電性異物が例えば、上部電極に垂れ下がり状に絡みついた場合には、起動水位に達していなくても導電性異物を通じて導通状態が検出されて水中ポンプが起動したり、下部電極に垂れ下がり状に絡みついた場合には、停止水位以下に水位が下がっても導電性異物を通じて導通状態が検出されていることにより水中ポンプが停止しない等の誤動作を招くおそれがあった。
【０００８】
そこで、本発明はこれらの問題点に鑑み、導電性付着物による誤作動を有効に防止した水中ポンプを提供することを目的とする。
【課題を解決するための手段】
【０００９】
上記課題を解決するための技術的手段は、水中に位置して配置される水中電極と、所望の高さ位置に配置される水位検出電極とを備え、水中電極と水位検出電極との相互間の導通状態を検出回路により検出することによって駆動制御される水中ポンプにおいて、前記検出回路における所定の電位に接続されたガード電極が、前記水位検出電極の近傍に備えられている点にある。
【００１０】
また、水中ポンプのポンプ本体に支持された上下方向に延びる取付けロッドに、前記水位検出電極および前記ガード電極が装着されている構造としてもよい。
【００１１】
さらに、前記取付けロッドに絶縁性のクランプ体が装着され、該クランプ体における下面内方側に前記水位検出電極が備えられ、前記ガード電極がこの水位検出電極の外方側を離隔して覆うようにクランプ体の下面外周側に備えられている構造としてもよい。
【００１２】
また、前記取付けロッドに、前記ガード電極としての高抵抗導電性樹脂からなるクランプ体が装着されると共に、該クランプ体の下面に、低抵抗導電性樹脂からなる前記水位検出電極が埋設状態で配置されている構造としてもよい。
【００１３】
さらに、前記水位検出電極の上面側を覆って絶縁性のキャップ体が装着されている構造としてもよい。
【発明の効果】
【００１４】
以上のように、本発明の水中ポンプによれば、検出回路における所定の電位に接続されたガード電極が、前記水位検出電極の近傍に備えられており、水位検出電極側での導通状態の検出によって、水位の到達によるものか或いは導電性付着物によるものかが容易に識別できるため、導電性付着物による誤作動を有効に防止できる。
【００１５】
また、水中ポンプのポンプ本体に支持された上下方向に延びる取付けロッドに、水位検出電極およびガード電極が装着されている構造とすれば、簡単な構造となり、容易に提供できる。
【００１６】
さらに、取付けロッドに絶縁性のクランプ体が装着され、該クランプ体における下面内方側に水位検出電極が備えられ、ガード電極がこの水位検出電極の外方側を離隔して覆うようにクランプ体の下面外周側に備えられている構造とすれば、クランプ体およびガード電極によって、水位検出電極に対する導電性付着物の接触がより有効に防止できるため、この点からも誤作動防止が図れる。
【００１７】
また、取付けロッドに、ガード電極としての高抵抗導電性樹脂からなるクランプ体が装着されると共に、該クランプ体の下面に、低抵抗導電性樹脂からなる水位検出電極が埋設状態で配置されている構造とすれば、水位検出電極とガード電極を備えたクランプ体を容易に製造できると共に、水位検出電極に対する導電性付着物の接触も有効に防止できる。
【００１８】
さらに、水位検出電極の上面側を覆って絶縁性のキャップ体が装着されている構造とすれば、キャップ体によって水位検出電極に対する導電性付着物の接触が有効に防止できるため、この点からも誤作動防止が図れる。
【発明を実施するための最良の形態】
【００１９】
以下、本発明の第１の実施形態を図面に基づいて説明すると、図１ないし図４に示されるように、水中ポンプ１におけるポンプ本体１ａは、モータ部を収容する例えば金属製のモータケーシング部２と、該モータケーシング部２の上部を覆う例えば、樹脂製や金属製のモータカバー部３と、モータケーシング部２の下部に配置され、羽根車を収容する例えば樹脂製や金属製のポンプケーシング部４とを備える。
【００２０】
また、ポンプケーシング部４の下側には、ポンプケーシング部４の吸込口を囲繞して、周面に複数の連通開口５ａが形成された筒状の吸込口カバー体５が配設され、さらにまたポンプケーシング部４一側部の排出部には、排水管６が接続される。
【００２１】
そして、ポンプ本体１ａにおけるモータカバー部３の側部に、支持ブラケット８を介して適宜長さを有する絶縁性の樹脂パイプ等からなる取付けロッド９が上下方向に軸心を有した状態で取付け固定されている。この支持ブラケット８による取付け構造としては、取付けロッド９の周囲を抱持状として締結弛緩自在に締結する構造等、周知の構造を適宜採用すればよい。
【００２２】
そして、取付けロッド９の上部および下部に、起動水位や停止水位を検出するための水位検出電極としての起動水位検出電極１１および停止水位検出電極１２とが、それぞれ上下方向に高さ調整自在に取付けられている。
【００２３】
前記起動水位検出電極１１は、導電性材料、例えばステンレス板材を適宜形状に成形してなり、図２ないし図４に示されるように、取付けロッド９の周囲に抱持状とされる平面視略Ｃ字状の抱持部１４と、該抱持部１４の両端部よりそれぞれ対向状に延設された締付け片部１５とを備えている。そして、固定ネジ１６と接続用ナット１７との締結により電線１８の一端部が起動水位検出電極１１に接続固定され、固定ネジ１６と締結用ナット１９との締結により起動水位検出電極１１が取付けロッド９上部の所望の高さ位置に取付け固定された構造とされている。
【００２４】
また、前記停止水位検出電極１２も起動水位検出電極１１と同様、導電性材料、例えばステンレス板材からなり、抱持部１４と対向状の対の締付け片部１５とを備えている。そして、固定ネジ１６と接続用ナット１７により電線２０の一端部が停止水位検出電極１２に接続固定され、固定ネジ１６と締結用ナット１９により停止水位検出電極１２が取付けロッド９下部の所望の高さ位置に取付け固定された構造とされている。
【００２５】
さらに、本実施形態においては、起動水位検出電極１１および停止水位検出電極１２の直ぐ下側の近傍位置に、それぞれガード電極２１，２２が上下方向に高さ調整自在に取付けられている。そして、各ガード電極２１，２２も各水位検出電極１１，１２と同様、導電性材料、例えばステンレス板材からなり、抱持部１４と対向状の対の締付け片部１５とを備えている。そして、固定ネジ１６と接続用ナット１７により各電線２３，２４の一端部がそれぞれガード電極２１，２２に接続固定され、固定ネジ１６と締結用ナット１９により取付けロッド９の所望の高さ位置に取付け固定された構造とされている。なお、ガード電極２１，２２は水位検出電極１１，１２にできるだけ近付けて配置することが好ましい。
【００２６】
また、各水位検出電極１１，１２や各ガード電極２１，２２に接続された各電線１８，２０，２３，２４の他端は、図５に示されるように、モータカバー部３内に内蔵されると共に水中ポンプ１を駆動制御するための駆動制御装置２５の検出回路２６に接続されている。
【００２７】
さらに、ポンプ本体１ａにおける金属部分であるモータケーシング部２も検出回路２６に接続され、このモータケーシング部２は水中に位置して配置される水中電極２７として構成されている。なお、水中電極２７をポンプ本体１ａの外部に別途設ける構造であってもよい。
【００２８】
そして、例えば、図６に示されるように、起動水位検出電極１１や停止水位検出電極１２は所定の抵抗Ｒを介して検出回路２６の所定の電位としての基準電位に接続され、各ガード電極２１，２２は検出回路２６の基準電位に接続され、水中電極２７は所定の電源に接続されている。そして、起動水位検出電極１１と水中電極２７との相互間や、停止水位検出電極１２と水中電極２７との相互間の水を介した導通状態の検出により、水位Ｈが起動水位や停止水位に達したかどうかを判定し、その判定信号に応じてポンプ駆動回路２８を通じて水中ポンプ１を駆動制御する構造とされている。
【００２９】
本実施形態は以上のように構成されており、排水処理槽内に水中ポンプ１を設置した場合において、図１に示されるように、排水処理槽内の水位Ｈが、起動水位検出電極１１よりも下にある場合には、停止水位検出電極１２は水に漬かっていることを検出しているが、起動水位検出電極１１は水に漬かっていないため、駆動制御装置２５の検出回路２６は起動水位に達していないと判定し、ポンプ駆動回路２８により水中ポンプ１は停止状態に制御されている。
【００３０】
その後、流入管等からの水の流入により、水位Ｈが上昇して起動水位検出電極１１の位置に達した際には、水中電極２７と起動水位検出電極１１との相互間の水を介した導通状態が検出回路２６により検出され、この検出された電圧値により水位Ｈが起動水位に達したと判定し、その判定信号をポンプ駆動回路２８に出力する。ポンプ駆動回路２８はこの判定信号を受けて、水中ポンプ１を起動する。
【００３１】
そして、水中ポンプ１が始動されると、吸込口カバー体５の各連通開口５ａを通じて排水処理槽内の貯留水が吸い込まれ、排水管６を通じて槽外に貯留水が排水される。
【００３２】
その後、水中ポンプ１による排水に伴う水位Ｈの低下により、水位Ｈが起動水位検出電極１１の位置より下がっても排水が継続され、最終的に、停止水位検出電極１２の位置よりも下に水位Ｈが下がった際に、水中電極２７と停止水位検出電極１２との相互間の導通状態が断たれ、検出回路２６によるこの導通状態切断の検出により、水位Ｈが停止水位に達したと判定し、その判定信号をポンプ駆動回路２８に出力する。ポンプ駆動回路２８はこの判定信号を受けて、水中ポンプ１を停止する。
【００３３】
その後は再度、水位Ｈが起動水位検出電極１１の高さに達するまで停止した状態とされる。
【００３４】
一方、このような水中ポンプ１の駆動制御において、図６に示されるように、貯留水中に含まれる夾雑物、例えば濡れた布切れや紙等のような導電性異物としての導電性付着物３０が、起動水位検出電極１１に垂れ下がり状に絡みついている場合には、水位Ｈが起動水位に達していなくても、導電性付着物３０が水面に接触している場合には、水および導電性付着物３０を介して水中電極２７と起動水位検出電極１１との相互間では、回路的に接続された状態が得られており、導通状態が得られている。
【００３５】
この際、本実施形態においては、起動水位検出電極１１の近傍にガード電極２１が配置されているため、水および導電性付着物３０を介して水中電極２７とガード電極２１との相互間においても導通状態が得られる。そして、起動水位検出電極１１側には抵抗Ｒが介在され、ガード電極２１は直接、基準電位に接続されているため、水中電極２７からの電流はほとんどがガード電極２１を通じて流れ、起動水位検出電極１１側にはほとんど流れない。
【００３６】
従って、検出回路２６は、起動水位検出電極１１に関して所定の導通状態に応じた電圧値を検出せず、水位Ｈが起動水位に達していないと判定しており、水中ポンプ１は起動されない。そして、水位Ｈが上昇して起動水位検出電極１１の位置に達すると、前述のように、水中電極２７と起動水位検出電極１１との相互間で、直接、水を介した導通状態が得られ、所定の導通状態に応じた電圧値が検出回路２６により検出され、水位Ｈが起動水位に達したと判定し、水中ポンプ１を起動する。
【００３７】
また、停止水位検出電極１２に対して、同様に導電性付着物３０が垂れ下がり状に絡みついている場合にも、水位Ｈが停止水位検出電極１２以下になると、水中電極２７からの電流はほとんどがガード電極２２を通じて流れ、停止水位検出電極１２側にはほとんど流れない。
【００３８】
従って、検出回路２６は、停止水位検出電極１２に関して所定の導通状態に応じた電圧値を検出せず、水位Ｈが停止水位に達していると判定し、水中ポンプ１を停止する。
【００３９】
以上のように、本実施形態によれば、起動水位検出電極１１や停止水位検出電極１２での導通状態の検出が、水位Ｈの到達によるものか或いは導電性付着物３０によるものかが検出回路２６によって容易に識別できるため、起動水位Ｈでの起動ミスや停止水位Ｈでの停止ミスが有効に防止でき、導電性付着物３０による水中ポンプ１の誤作動を有効に防止できる。
【００４０】
また、水中ポンプ１のポンプ本体１ａに支持された上下方向に延びる取付けロッド９に、起動水位検出電極１１や停止水位検出電極１２および各ガード電極２１，２２を装着した簡単な構造であり、容易に提供できる利点がある。
【００４１】
さらに、水位Ｈの検出を起動水位検出電極１１や停止水位検出電極１２で検出するいわゆる電極方式としているため、フロートスイッチのような浮き沈み揺動が不要でコンパクトに構成できる利点もある。
【００４２】
図７ないし図１０は第２の実施形態を示しており、第１の実施形態と同様構成部分は同一符号を付し、その説明を省略する。
【００４３】
即ち、本実施形態においては、取付けロッド９に取付けられた起動水位検出電極１１や停止水位検出電極１２の上面側を覆って絶縁性の樹脂により成形されたキャップ体３２をそれぞれ装着した構造とされている。
【００４４】
キャップ体３２は、取付けロッド９の外径と同一もしくは僅かに大径の内径を有する円筒状の嵌合筒部３２ａと、水位検出電極１１，１２の上面側を覆うべく、嵌合筒部３２ａの下端より径方向外方にいわゆる楕円状に張り出し形成された上面カバー部３２ｂと、水位検出電極１１，１２の側面側を覆うべく、上面カバー部３２ｂの外周縁部より下向きに延設された側面カバー部３２ｃとを備えている。
【００４５】
また、上面カバー部３２ｂの下面側には、所定間隔離隔して下向きに延設された対の係合片３２ｄが備えられており、水位検出電極１１，１２の上方側からキャップ体３２が装着された場合に、水位検出電極１１，１２の両締付け片部１５に対してその両側から係合して、取付けロッド９の軸心周りの回動が規制される構造とされている。なお、各係合片３２ｄの下縁には、固定ネジ１６や締結用ナット１９との干渉を回避するための適宜大きさの凹部３２ｅが切欠状に形成されている。
【００４６】
従って、取付けロッド９に取付け固定された水位検出電極１１，１２の上方側より、キャップ体３２を取付けロッド９に沿って下方に摺動させて、水位検出電極１１，１２の上面側に装着すればよい。
【００４７】
さらに、本実施形態においては、ガード電極２１，２２がステンレス材からなると共に扁平な構造とされており、取付けロッド９に相対摺動自在に外嵌される円筒状の取付け筒部２１ａ，２２ａと上面カバー部３２ｂと略同形同大に張り出し形成された電極部２１ｂ，２２ｂとを備え、取付け筒部２１ａ，２２ａが固定ネジ等により取付けロッド９に位置決め固定されると共に、電極部２１ｂ，２２ｂの適宜位置に電線２３，２４の一端部が固定ネジ等により接続固定される構造とされている。そして、その他の構造は第１の実施形態と同様に構成されている。
【００４８】
従って、本実施形態においても第１の実施形態と同様の効果を奏すると共に、起動水位検出電極１１や停止水位検出電極１２の上面側がキャップ体３２によって覆われた構造とされているため、貯留水中に含まれる導電性付着物３０の各水位検出電極１１，１２に対する付着や接触がキャップ体３２によって有効に防止でき、この点からも水中ポンプ１の誤作動が有効に防止できる。
【００４９】
図１１および図１２は第３の実施形態を示しており、第１の実施形態と同様構成部分は同一符号を付し、その説明を省略する。
【００５０】
即ち、本実施形態においては、取付けロッド９に絶縁性の樹脂により形成されたクランプ体３４が着脱自在に装着される構造とされている。このクランプ体３４は取付けロッド９を抱持状とする平面視略Ｃ字状に構成されており、その両端部を固定ネジ３５とナット３６とで締結弛緩自在に締結することにより、取付けロッド９の所望高さ位置に取付け固定自在とされている。
【００５１】
そして、クランプ体３４における下面内方側に円弧状にステンレス材からなる水位検出電極１１，１２が下向き突出状に備えられると共に、この水位検出電極１１，１２の外方側を離隔して覆うように、クランプ体３４の下面外周側に円弧状にステンレス材からなるガード電極２１，２２が下向き突出状に備えられた構造とされている。この際、水位検出電極１１，１２の下方突出長さは、外側のガード電極２１，２２の下方突出長さと同じかそれよりも短い構造とされている。
【００５２】
また、クランプ体３４の下面側には、水位検出電極１１，１２やガード電極２１，２２に接続状とされた電線１８，２０，２３，２４が引き出し状に備えられている。本実施形態においては、クランプ体３４は水位検出電極１１，１２やガード電極２１，２２に電線１８，２０，２３，２４が接続された状態で、樹脂により一体成形された構造とされている。
【００５３】
そして、起動水位や停止水位の高さ位置に対応させて、取付けロッド９の上部および下部にそれぞれクランプ体３４を取付け固定する構造とされている。そして、その他の構造は第１の実施形態と同様に構成されている。
【００５４】
従って、本実施形態においても第１の実施形態と同様の効果を奏すると共に、水位検出電極１１，１２の上面側や外側面側がクランプ体３４およびガード電極２１，２２によって、覆われた構造となり、水位検出電極１１，１２に対する導電性付着物３０の付着や接触がより有効に防止できるため、この点からも水中ポンプ１の誤作動が有効に防止できる。
【００５５】
また、水位検出電極１１，１２やガード電極２１，２２と、電線１８，２０，２３，２４との接続部がクランプ体３４内に埋め込まれた状態となるため、接続部に対する防水効果も発揮できる。
【００５６】
図１３ないし図１５は第４の実施形態を示しており、第３の実施形態と同様構成部分は同一符号を付し、その説明を省略する。
【００５７】
即ち、本実施形態においては、クランプ体３４の下面側に、水位検出電極１１，１２が埋設状に配置されており、クランプ体３４の上面側外周縁部に沿ってガード電極２１，２２が配置された構造とされている。そして、起動水位や停止水位の高さ位置に対応させて、取付けロッド９の上部および下部にそれぞれクランプ体３４を取付け固定する構造とされている。また、その他の構造は第３の実施形態と同様に構成されている。なお、水位検出電極１１，１２やガード電極２１，２２に接続される電線１８，２０，２３，２４として、本実施形態では２芯電線が使用されている。
【００５８】
従って、本実施形態においても第３の実施形態と同様の効果を奏する。
【００５９】
図１６ないし図１８は第５の実施形態を示しており、第４の実施形態と同様構成部分は同一符号を付し、その説明を省略する。
【００６０】
即ち、本実施形態においては、クランプ体３４が高抵抗導電性の樹脂により形成されており、クランプ体３４自体がガード電極２１，２２として機能される構造とされている。そして、クランプ体３４の下面側に、低抵抗導電性の樹脂により形成された水位検出電極１１，１２が埋設状に配置された構造とされている。また、その他の構造は第４の実施形態と同様に構成されている。
【００６１】
従って、本実施形態においても第４の実施形態と同様の効果を奏すると共に、水位検出電極１１，１２やガード電極２１，２２が導電性樹脂で形成された構造であるため、ガード電極としての効果は他の実施形態よりも劣るものの、カーボンブラック等の導電性物質の添加量の調整によって容易に製造できる利点もある。
【００６２】
なお、上記各実施形態における水位検出電極１１，１２やガード電極２１，２２の形状等は何ら限定されず、適宜形状等に構成すればよい。
【００６３】
また、上記各実施形態において、取付けロッド９の上下２個所位置に、水位検出電極１１，１２やガード電極２１，２２を取付けた構造を示しているが、取付けロッド９の上下方向に離隔した３個所位置にそれらを取付ける構造としてもよい。そして、２個所位置に水位検出電極やガード電極を取付けた水中ポンプと３個所位置に水位検出電極やガード電極を取付けた水中ポンプの２台を排水処理槽内に設置して、従来同様、交互運転させるように駆動制御することもできる。
【００６４】
さらに、起動水位検出電極１１や停止水位検出電極１２および各ガード電極２１，２２を取付けロッド９に取付ける構造を示しているが、ポンプ本体１ａ側に直接取付ける構造等であってもよい。
【００６５】
また、駆動制御装置２５をポンプ本体１ａ内に備えた構造を示しているが、地上に設置される制御盤内に設置する構造としてもよい。
【図面の簡単な説明】
【００６６】
【図１】本発明の第１の実施形態にかかる水中ポンプを示す側面図である。
【図２】同一部拡大図である。
【図３】図２の平面図である。
【図４】図２のIV−IV線矢視図である。
【図５】同制御ブロック図である。
【図６】同検出動作説明図である。
【図７】第２の実施形態にかかる要部側面図である。
【図８】同キャップ体の側面図である。
【図９】図８の底面図である。
【図１０】ガード電極の底面図である。
【図１１】第３の実施形態にかかる要部側面図である。
【図１２】同キャップ体の底面図である。
【図１３】第４の実施形態にかかるクランプ体の平面図である。
【図１４】同キャップ体の側面図である。
【図１５】同キャップ体の底面図である。
【図１６】第５の実施形態にかかるクランプ体の平面図である。
【図１７】同キャップ体の側面図である。
【図１８】同キャップ体の底面図である。
【符号の説明】
【００６７】
１  水中ポンプ
１ａ  ポンプ本体
２  モータケーシング部
９  取付けロッド
１１  起動水位検出電極
１２  停止水位検出電極
２１  ガード電極
２２  ガード電極
２５  駆動制御装置
２６  検出回路
３２  キャップ体
３４  クランプ体
【図１】
2007071042.tif 000003
【図２】
2007071042.tif 000004
【図３】
2007071042.tif 000005
【図４】
2007071042.tif 000006
【図５】
2007071042.tif 000007
【図６】
2007071042.tif 000008
【図７】
2007071042.tif 000009
【図８】
2007071042.tif 000010
【図９】
2007071042.tif 000011
【図１０】
2007071042.tif 000012
【図１１】
2007071042.tif 000013
【図１２】
2007071042.tif 000014
【図１３】
2007071042.tif 000015
【図１４】
2007071042.tif 000016
【図１５】
2007071042.tif 000017
【図１６】
2007071042.tif 000018
【図１７】
2007071042.tif 000019
【図１８】
2007071042.tif 000020